(57)【要約】【課題】従来の電気光学装置では、指向性表示にかかる処理を簡略化することが困難である。【解決手段】相互に異なる複数の画像の前記画像ごとに設けられた複数の単位画素６３と、単位画素６３から射出された光が及ぶ範囲を前記画像ごとに規定する光学素子と、を有し、１つの前記画像に対応する単位画素６３は、一辺をａ（ａは、正の実数）とする正方形で規定される正方領域６１ごとに、正方領域６１内に設けられており、複数の正方領域６１は、等間隔で並んでおり、１つの正方領域６１内に、すべての前記画像に対応する複数の単位画素６３が、前記画像ごとに１つだけ収まっている、ことを特徴とする電気光学装置。【選択図】図６
2010088087.tif 000002
【特許請求の範囲】
【請求項１】
相互に異なる複数の画像の前記画像ごとに設けられた複数の単位画素と、
前記単位画素から射出された光が及ぶ範囲を前記画像ごとに規定する光学素子と、を有し、
１つの前記画像に対応する前記単位画素は、一辺をａ（ａは、正の実数）とする正方形で規定される正方領域ごとに、前記正方領域内に設けられており、
複数の前記正方領域は、等間隔で並んでおり、
１つの前記正方領域内に、すべての前記画像に対応する複数の前記単位画素が、前記画像ごとに１つだけ収まっている、
ことを特徴とする電気光学装置。
【請求項２】
複数の前記正方領域は、前記正方形の一辺が延在する方向である第１方向、及び前記第１方向とは交差する方向である第２方向の双方に並んでいることを特徴とする請求項１に記載の電気光学装置。
【請求項３】
前記単位画素は、複数のサブ画素を有しており、
前記複数のサブ画素は、
赤系の色の光を射出する赤系画素と、
緑系の色の光を射出する緑系画素と、
青系の色の光を射出する青系画素と、を含んでいることを特徴とする請求項２に記載の電気光学装置。
【請求項４】
前記正方領域において、
複数の前記赤系画素が前記第１方向に配列し、
複数の前記緑系画素が前記第１方向に配列し、
複数の前記青系画素が前記第１方向に配列し、且つ、
前記赤系画素と前記緑系画素と前記青系画素とが、相互に前記第２方向にずれている、ことを特徴とする請求項３に記載の電気光学装置。
【請求項５】
前記正方領域において、
前記単位画素に含まれる前記赤系画素と前記緑系画素と前記青系画素とが、前記第１方向及び前記第２方向の双方に対して交差する方向に並んでいる、
ことを特徴とする請求項４に記載の電気光学装置。
【請求項６】
前記単位画素において、隣り合う２つの前記サブ画素が、前記第１方向に互いに前記サブ画素の１つ分だけずれていることを特徴とする請求項５に記載の電気光学装置。
【請求項７】
前記複数の画像は、相互に異なる視点から捉えられており、前記画像間で視差を付与する視差画像を構成しており、
前記正方領域において、前記第１方向に配列する前記赤系画素の配列、前記緑系画素の配列、及び、前記青系画素の配列の３つの配列のうちのいずれか１つでは、複数の前記サブ画素が前記視点の順に並んでいる、
ことを特徴とする請求項６に記載の電気光学装置。
【請求項８】
前記複数のサブ画素が前記視点の順に並んでいる前記配列は、前記３つの配列のうちで中央に位置する前記配列であることを特徴とする請求項７に記載の電気光学装置。
【請求項９】
前記光学素子は、シリンドリカルレンズを有していることを特徴とする請求項１乃至８のいずれか一項に記載の電気光学装置。
【請求項１０】
請求項１乃至９のいずれか一項に記載の電気光学装置を表示部として有することを特徴とする電子機器。
【発明の詳細な説明】
【技術分野】
【０００１】
本発明は、電気光学装置及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。
このような表示装置としては、互いに異なる画像を表示する２種類の画素を、行方向及び列方向の双方において交互に配置した構成が知られている（例えば、特許文献１参照）。
【０００３】
【特許文献１】特許第３０９６６１３号公報
【発明の開示】
【発明が解決しようとする課題】
【０００４】
また、上記特許文献１には、２種類の画素による２視点の指向性表示を行う構成だけでなく、３種類以上の画素で３視点以上の指向性表示を行うことができる構成についても記載されている。
例えば、視点数が４である表示装置６００では、各視点に対応する画素の配置は、図２３に示す配置が採用され得る。図２３において、各画素に付与された番号は、視点番号を示している。第１の視点に対応する画素には、番号“１”が付与され、第２の視点に対応する画素には、番号“２”が付与され、第３の視点に対応する画素には、番号“３”が付与され、第４の視点に対応する画素には、番号“４”が付与されている。また、図２３において、Ｒ、Ｇ及びＢは、画素から射出される光の色を示している。Ｒは赤系の色を示し、Ｇは緑系の色を示し、Ｂは青系の色を示している。
【０００５】
ところで、Ｒ画素６０５Ｒ、Ｇ画素６０５Ｇ及びＢ画素６０５Ｂを有する表示装置では、一般的に、画像の要素である単位画素６１０は、図２４に示すように、ｎ×ｎ（ｎは、正の実数）の大きさに設定されていることが多い。つまり、単位画素６１０のアスペクト比が、１：１に設定されることが多い。なお、Ｒ画素６０５Ｒ、Ｇ画素６０５Ｇ及びＢ画素６０５Ｂを有するこの例では、Ｒ画素６０５Ｒ、Ｇ画素６０５Ｇ及びＢ画素６０５Ｂの１組が単位画素６１０に相当する。モノクローム表示の表示装置では、１つの画素が単位画素６１０に相当する。
上記の４視点の表示装置６００では、１つの視点（例えば第１の視点）に着目すると、単位画素６１０は、図２５に示すように、４ｎ／３×３ｎの領域ごとに出現する。
【０００６】
ここで、第１の視点に対応する画像（以下、第１の画像と呼ぶ）を表示装置に展開する方法について検討する。
表示装置６００に展開する前の第１の画像６２０ａとしては、図２６に示す構成が考えられる。図２６において、各画素に付された文字は、上から順に、視点番号、単位画素６１０の列番号、単位画素６１０の行番号、光の色を示している。
第１の画像６２０ａを表示装置６００に展開する方法の１つとして、第１の画像６２０ａの単位画素６１０の列番号及び行番号を、表示装置６００における単位画素６１０の列番号及び行番号に対応させる方法が考えられる。
【０００７】
この方法では、表示装置６００に展開された第１の画像６２０ｂは、図２７に示すように、単位画素６１０が列方向に３ｎごとに出現するのに対して、行方向には４ｎ／３ごとに出現する。
このことは、図２８に示すように、表示装置６００に展開する前の第１の画像６２０ａを、列方向に１／３倍、且つ行方向に３／４倍の大きさに縮小しておく必要があることを意味する。この結果、第１の画像６２０ａと、第１の画像６２０ｂとは、相似形にならない。
このことは、第２の視点に対応する第２の画像、第３の視点に対応する第３の画像、及び第４の視点に対応する第４の画像についても同様である。
【０００８】
上述したように、指向性表示を行うことができる従来の電気光学装置では、電気光学装置に展開前の画像と、展開後の画像とが相似形にならない。この結果、展開前の画像データに施す処理が複雑化してしまう。つまり、従来の電気光学装置では、指向性表示にかかる処理を簡略化することが困難であるという課題がある。
【課題を解決するための手段】
【０００９】
本発明は、上述の課題の少なくとも一部を解決するためになされたものであり、以下の形態又は適用例として実現され得る。
【００１０】
［適用例１］相互に異なる複数の画像の前記画像ごとに設けられた複数の単位画素と、前記単位画素から射出された光が及ぶ範囲を前記画像ごとに規定する光学素子と、を有し、１つの前記画像に対応する前記単位画素は、一辺をａ（ａは、正の実数）とする正方形で規定される正方領域ごとに、前記正方領域内に設けられており、複数の前記正方領域は、等間隔で並んでおり、１つの前記正方領域内に、すべての前記画像に対応する複数の前記単位画素が、前記画像ごとに１つだけ収まっている、ことを特徴とする電気光学装置。
【００１１】
この適用例の電気光学装置は、複数の単位画素と、光学素子と、を有している。複数の単位画素は、相互に異なる複数の画像の画像ごとに設けられている。１つの画像は、この画像に対応する複数の単位画素によって形成され得る。光学素子は、単位画素から射出された光が及ぶ範囲を画像ごとに規定する。この電気光学装置では、単位画素が視認される範囲を光学素子で規定することができるので、指向性表示を行うことができる。
この電気光学装置では、１つの画像に対応する単位画素は、等間隔で並ぶ正方領域ごとに正方領域内に設けられている。正方領域は、一辺をａ（ａは、正の実数）とする正方形によって規定される領域である。１つの正方領域内には、すべての画像に対応する複数の単位画素が、画像ごとに１つだけ収まっている。
【００１２】
この電気光学装置では、複数の画像のうちの１つの画像に着目すると、この画像に対応する単位画素は、ａ×ａの正方領域ごとに出現する。
ここで、この画像に対応する複数の単位画素によって電気光学装置に展開された画像を展開画像と呼び、展開画像を電気光学装置に展開する前の画像を展開前画像と呼ぶことにする。
１つの展開画像では、単位画素がａ×ａの正方領域ごとに出現する。このため、展開画像と展開前画像とを互いに相似形にしやすくすることができる。これにより、展開前画像を形成するときにかかる処理が複雑化してしまうことを避けやすくすることができる。この結果、指向性表示にかかる処理を簡略化しやすくすることができる。
【００１３】
［適用例２］上記の電気光学装置であって、複数の前記正方領域は、前記正方形の一辺が延在する方向である第１方向、及び前記第１方向とは交差する方向である第２方向の双方に並んでいることを特徴とする電気光学装置。
【００１４】
この適用例では、複数の正方領域が、第１方向及び第２方向の双方に並んでいる。第１方向は、正方領域を規定する正方形の一辺が延在する方向である。第２方向は、第１方向とは交差する方向である。上記の構成によれば、複数の正方領域が正方形の一辺に沿って並ぶので、正方領域の密度を高めやすくすることができる。この結果、画像の解像度を高めやすくすることができるので、高精細化を図りやすくすることができる。
【００１５】
［適用例３］上記の電気光学装置であって、前記単位画素は、複数のサブ画素を有しており、前記複数のサブ画素は、赤系の色の光を射出する赤系画素と、緑系の色の光を射出する緑系画素と、青系の色の光を射出する青系画素と、を含んでいることを特徴とする電気光学装置。
【００１６】
この適用例では、単位画素が複数のサブ画素を有している。複数のサブ画素は、赤系の色の光を射出する赤系画素と、緑系の色の光を射出する緑系画素と、青系の色の光を射出する青系画素と、を含んでいる。これにより、カラー表示を行うことができる。
【００１７】
［適用例４］上記の電気光学装置であって、前記正方領域において、複数の前記赤系画素が前記第１方向に配列し、複数の前記緑系画素が前記第１方向に配列し、複数の前記青系画素が前記第１方向に配列し、且つ、前記赤系画素と前記緑系画素と前記青系画素とが、相互に前記第２方向にずれている、ことを特徴とする電気光学装置。
【００１８】
この適用例では、赤系画素、緑系画素及び青系画素のそれぞれが第１方向に配列している。また、赤系画素と、緑系画素と、青系画素とは、相互に第２方向にずれている。つまり、正方領域には、赤系画素の配列と、緑系画素の配列と、青系画素の配列とが並列している。これにより、単位画素におけるサブ画素の配列方向を、第１方向とは交差する方向にすることができる。
【００１９】
［適用例５］上記の電気光学装置であって、前記正方領域において、前記単位画素に含まれる前記赤系画素と前記緑系画素と前記青系画素とが、前記第１方向及び前記第２方向の双方に対して交差する方向に並んでいる、ことを特徴とする電気光学装置。
【００２０】
この適用例では、正方領域において、単位画素に含まれる赤系画素と緑系画素と青系画素とが、第１方向及び第２方向の双方に対して交差する方向に並んでいる。これにより、単位画素におけるサブ画素の配列方向を、第１方向及び第２方向の双方に対して交差する方向にすることができる。
【００２１】
［適用例６］上記の電気光学装置であって、前記単位画素において、隣り合う２つの前記サブ画素が、前記第１方向に互いに前記サブ画素の１つ分だけずれていることを特徴とする電気光学装置。
【００２２】
この適用例では、単位画素において、隣り合う２つのサブ画素が、第１方向に互いにサブ画素の１つ分だけずれている。これにより、単位画素において、隣り合う２つのサブ画素の第１方向におけるずれ量を、サブ画素の１つ分にすることができる。
【００２３】
［適用例７］上記の電気光学装置であって、前記複数の画像は、相互に異なる視点から捉えられており、前記画像間で視差を付与する視差画像を構成しており、前記正方領域において、前記第１方向に配列する前記赤系画素の配列、前記緑系画素の配列、及び、前記青系画素の配列の３つの配列のうちのいずれか１つでは、複数の前記サブ画素が前記視点の順に並んでいる、ことを特徴とする電気光学装置。
【００２４】
この適用例では、複数の画像は、相互に異なる視点から捉えられている。複数の画像は、画像間で視差を付与する視差画像を構成している。また、正方領域において、３つの配列のうちのいずれか１つでは、複数のサブ画素が視点の順に並んでいる。３つの配列は、第１方向に配列する赤系画素の配列、緑系画素の配列及び青系画素の配列である。
この電気光学装置では、３つの配列のうちの１つにおいて、複数のサブ画素が視点順に並んでいる。このため、視差画像を視点順に表示することができる。
【００２５】
［適用例８］上記の電気光学装置であって、前記複数のサブ画素が前記視点の順に並んでいる前記配列は、前記３つの配列のうちで中央に位置する前記配列であることを特徴とする電気光学装置。
【００２６】
この適用例では、複数のサブ画素が視点順に並ぶ配列は、３つの配列のうちで中央の配列である。このため、３つの配列のうちで中央の配列を基準にして、視差画像を視点順に表示することができる。
【００２７】
［適用例９］上記の電気光学装置であって、前記光学素子は、シリンドリカルレンズを有していることを特徴とする電気光学装置。
【００２８】
この適用例では、光学素子がシリンドリカルレンズを有しているので、単位画素からの光を屈折させることによって、単位画素から射出された光が及ぶ範囲を画像ごとに規定することができる。
【００２９】
［適用例１０］上記の電気光学装置を表示部として有することを特徴とする電子機器。
【００３０】
この適用例の電子機器は、表示部としての電気光学装置が、複数の単位画素と、光学素子と、を有している。複数の単位画素は、相互に異なる複数の画像の画像ごとに設けられている。１つの画像は、この画像に対応する複数の単位画素によって形成され得る。光学素子は、単位画素から射出された光が及ぶ範囲を画像ごとに規定する。この電気光学装置では、単位画素が視認される範囲を光学素子で規定することができるので、指向性表示を行うことができる。
この電気光学装置では、１つの画像に対応する単位画素は、等間隔で並ぶ正方領域ごとに正方領域内に設けられている。正方領域は、一辺をａ（ａは、正の実数）とする正方形によって規定される領域である。１つの正方領域内には、すべての画像に対応する複数の単位画素が、画像ごとに１つだけ収まっている。
【００３１】
この電気光学装置では、複数の画像のうちの１つの画像に着目すると、この画像に対応する単位画素は、ａ×ａの正方領域ごとに出現する。
ここで、この画像に対応する複数の単位画素によって電気光学装置に展開された画像を展開画像と呼び、展開画像を電気光学装置に展開する前の画像を展開前画像と呼ぶことにする。
１つの展開画像では、単位画素がａ×ａの正方領域ごとに出現する。このため、展開画像と展開前画像とを互いに相似形にしやすくすることができる。これにより、展開前画像を形成するときにかかる処理が複雑化してしまうことを避けやすくすることができる。この結果、指向性表示にかかる処理を簡略化しやすくすることができる。
この適用例では、指向性表示にかかる処理を簡略化しやすくすることができる電気光学装置が表示部として適用されている。このため、表示部において、指向性表示にかかる処理を簡略化しやすくすることができる。
【発明を実施するための最良の形態】
【００３２】
実施形態について、電気光学装置の１つである液晶装置を利用した表示装置を例に、図面を参照しながら説明する。
第１実施形態における表示装置１は、図１に示すように、表示パネル３と、照明装置４と、レンズアレイ基板５と、を有している。
【００３３】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。表示装置１は、照明装置４から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００３４】
表示パネル３は、図１中のＡ−Ａ線における断面図である図２に示すように、液晶パネル１１と、偏光板１３ａと、偏光板１３ｂと、を有している。
液晶パネル１１は、素子基板１５と、対向基板１７と、液晶１９と、シール材２１と、を有している。
素子基板１５には、表示面９側すなわち液晶１９側に、複数の画素７のそれぞれに対応して、後述するスイッチング素子などが設けられている。
【００３５】
対向基板１７は、素子基板１５よりも表示面９側で素子基板１５に対向し、且つ素子基板１５との間に隙間を有した状態で設けられている。対向基板１７には、液晶パネル１１における表示面９の裏面に相当する面である底面２７側すなわち液晶１９側に、後述する対向電極などが設けられている。
【００３６】
液晶１９は、素子基板１５及び対向基板１７の間に介在しており、表示パネル３の周縁よりも内側で表示領域８を囲むシール材２１によって、素子基板１５及び対向基板１７の間に封止されている。なお、本実施形態では、液晶１９として、ＴＮ（Twisted Nematic）型が採用されている。
【００３７】
偏光板１３ａは、素子基板１５よりも底面２７側に設けられている。偏光板１３ｂは、対向基板１７よりも表示面９側に設けられている。
本実施形態では、偏光板１３ａ及び偏光板１３ｂは、偏光板１３ａにおける光の透過軸の方向と、偏光板１３ｂにおける光の透過軸の方向とが、平面視で互いに直交する方向に設定されている。これらの偏光板１３ａ及び１３ｂは、それぞれ、透過軸の方向に偏光軸を有する光を透過させることができる。
【００３８】
照明装置４は、液晶パネル１１の底面２７側に設けられている。照明装置４は、導光板３１と、光源３３とを有している。
導光板３１は、液晶パネル１１よりも底面２７側で偏光板１３ａを挟んで素子基板１５に対向する位置に設けられている。導光板３１は、光射出面３５ａと、底面３５ｂと、側面３５ｃと、を有している。光射出面３５ａは、液晶パネル１１側に向けられている。底面３５ｂは、光射出面３５ａとは反対側の面である。
光源３３は、例えば、ＬＥＤ（Light Emitting Diode）や冷陰極管などが採用され、導光板３１の側面３５ｃに対向する位置に設けられている。
【００３９】
光源３３からの光は、導光板３１の側面３５ｃに入射される。導光板３１に入射された光は、導光板３１の中で反射しながら光射出面３５ａから射出される。光射出面３５ａから射出された光は、偏光板１３ａを介して液晶パネル１１に入射される。なお、導光板３１には、必要に応じて、光射出面３５ａに拡散板が設けられ、底面３５ｂに反射板が設けられる。
【００４０】
レンズアレイ基板５は、液晶パネル１１の表示面９側に設けられている。レンズアレイ基板５は、外向面５ａと、対向面５ｂと、複数のシリンドリカルレンズ６と、を有している。外向面５ａは、液晶パネル１１側とは反対側に向けられている。対向面５ｂは、液晶パネル１１側に向けられており、偏光板１３ｂを挟んで対向基板１７に対向している。複数のシリンドリカルレンズ６は、外向面５ａに設けられている。シリンドリカルレンズ６は、液晶パネル１１側とは反対側に向かって凸となる凸レンズを構成している。
なお、図２では、構成をわかりやすく示すため、シリンドリカルレンズ６が誇張され、且つシリンドリカルレンズ６の個数が減じられている。
【００４１】
なお、偏光板１３ｂの表示面９側や、偏光板１３ｂと対向基板１７との間に、光学補償フィルムを設けた構成も採用され得る。光学補償フィルムを設けることで、液晶１９を表示面９の法線方向から見たときや、法線方向から傾斜した方向から見たときなどの液晶１９の位相差を補償することができる。これにより、光漏れを低減することができ、コントラストの向上が図られる。
【００４２】
光学補償フィルムとしては、屈折率異方性が負のディスコティック液晶分子等をハイブリッド配向させた負の一軸性媒体（例えば、富士フィルム製のＷＶフィルム）などが採用され得る。また、屈折率異方性が正のネマチック液晶分子等をハイブリッド配向させた正の一軸性媒体（例えば、日本石油製のＮＨフィルム）なども採用され得る。さらに、負の一軸性媒体と正の一軸性媒体とを組み合わせた構成も採用され得る。その他、各方向の屈折率がｎｘ＞ｎｙ＞ｎｚとなる二軸性媒体や、負のＣ−Ｐｌａｔｅ等も採用され得る。
【００４３】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７Ｒと、Ｇの光を射出する画素７Ｇと、Ｂの光を射出する画素７Ｂとを含んでいる。
【００４４】
ここで、Ｒの色は、純粋な赤の色相に限定されず、橙等を含む。Ｇの色は、純粋な緑の色相に限定されず、青緑や黄緑等を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４５】
マトリクスＭでは、Ｙ方向に沿って並ぶ複数の画素７が、１つの画素列５１を構成している。また、Ｘ方向に沿って並ぶ複数の画素７が、１つの画素行５３を構成している。１つの画素行５３内の各画素７は、光の色がＲ、Ｇ及びＢのうちの１つに設定されている。つまり、マトリクスＭは、複数の画素７ＲがＸ方向に配列した画素行５３Ｒと、複数の画素７ＧがＸ方向に配列した画素行５３Ｇと、複数の画素７ＢがＸ方向に配列した画素行５３Ｂとを有している。そして、マトリクスＭでは、画素行５３Ｒ、画素行５３Ｇ及び画素行５３Ｂが、Ｙ方向に沿って反復して並んでいる。
【００４６】
また、表示装置１では、マトリクスＭを構成する複数の画素７は、複数の第１の画素７1と、複数の第２の画素７2と、複数の第３の画素７3と、複数の第４の画素７4と、複数の第５の画素７5と、複数の第６の画素７6と、複数の第７の画素７7と、にわけられている。
表示装置１は、複数の第１の画素７1で第１の画像を表示することができる。表示装置１では、照明装置４から表示パネル３に入射された光を、複数の第１の画素７1から選択的に表示面９を介して表示パネル３の外に射出することで、表示面９に第１の画像を表示することができる。
同様にして、表示装置１は、複数の第２の画素７2で第２の画像を表示することができる。同様に、複数の第３の画素７3で第３の画像を表示することができる。複数の第４の画素７4で第４の画像を表示することができる。複数の第５の画素７5で第５の画像を表示することができる。複数の第６の画素７6で第６の画像を表示することができる。複数の第７の画素７7で第７の画像を表示することができる。
【００４７】
なお、第１〜第７の画像は、相互に異なる画像であることと、相互に同じ画像であることとが問われない。また、以下においては、画素７という表記と、画素７Ｒ、画素７Ｇ及び画素７Ｂという表記と、第１の画素７1〜第７の画素７7という表記とが、適宜、使いわけられる。また、第１の画素７1に対してＲ、Ｇ及びＢが識別される場合、第１の画素７Ｒ1、第１の画素７Ｇ1及び第１の画素７Ｂ1という表記が用いられる。同様に、第２の画素７2〜第７の画素７7のそれぞれに対してＲ、Ｇ及びＢが識別される場合も、この表記方法に準じる。
【００４８】
本実施形態では、１つの画素列５１は、第１の画素７1〜第７の画素７7のうちのいずれか１つによって構成されている。マトリクスＭは、画素列５１1と、画素列５１2と、画素列５１3と、画素列５１4と、画素列５１5と、画素列５１6と、画素列５１7と、を有している。
画素列５１1は、複数の第１の画素７1で構成されている。画素列５１2は、複数の第２の画素７2で構成されている。画素列５１3は、複数の第３の画素７3で構成されている。画素列５１4は、複数の第４の画素７4で構成されている。画素列５１5は、複数の第５の画素７5で構成されている。画素列５１6は、複数の第６の画素７6で構成されている。画素列５１7は、複数の第７の画素７7で構成されている。なお、以下においては、画素列５１という表記と、画素列５１1〜画素列５１7という表記とが、適宜、使いわけられる。
【００４９】
さて、表示パネル３では、表示領域８は、図４に示すように、複数の正方領域６１に仮想的に区画されている。
各正方領域６１は、図５に示すように、一辺をａとする正方形で規定される領域である。正方領域６１は、Ｘ方向及びＹ方向の双方に等間隔で並んでいる。本実施形態では、正方領域６１を規定する正方形の一辺が、Ｘ方向に沿って延在している。また、正方領域６１は、Ｘ方向及びＹ方向の双方において、ａの間隔で並んでいる。
【００５０】
１つの正方領域６１は、図６に示すように、第１の画素７1〜第７の画素７7を囲んでいる。正方領域６１には、画素行５３Ｒと、画素行５３Ｇと、画素行５３Ｂと、が１行ずつ含まれている。正方領域６１に含まれる画素行５３Ｒ、画素行５３Ｇ及び画素行５３Ｂは、Ｙ方向に連続して並ぶ画素行５３である。
また、正方領域６１には、第１の画素７1〜第７の画素７7がＲ、Ｇ及びＢごとに１つずつ含まれている。
【００５１】
本実施形態では、１つの正方領域６１には、Ｙ方向において、画素行５３Ｇを中央にして、この画素行５３Ｇに隣り合う画素行５３Ｒと画素行５３Ｂとが含まれている。また、１つの正方領域６１には、Ｒ、Ｇ及びＢごとに、第１の画素７1から第７の画素７7までのＸ方向に連続して並ぶ７個の画素７が含まれている。
ここで、各正方領域６１において、Ｙ方向に並ぶ３つの画素７は、単位画素６３を構成している。単位画素６３は、画像の要素である。
【００５２】
本実施形態では、第１の画像〜第７の画像のそれぞれに対応する第１の画素７1〜第７の画素７7が設けられている。このため、表示装置１は、第１の画像〜第７の画像のそれぞれに対応する第１の単位画素６３1〜第７の単位画素６３7の７つの単位画素６３を有している。
つまり、本実施形態では、１つの正方領域６１に、第１の単位画素６３1〜第７の単位画素６３7までの７つの単位画素６３が含まれている。正方領域６１には、第１の単位画素６３1〜第７の単位画素６３7が、それぞれ１つだけ含まれている。
そして、１つの正方領域６１に含まれる７つの単位画素６３（６３1〜６３7）は、１組の単位画素群６５を構成している。
【００５３】
レンズアレイ基板５において、シリンドリカルレンズ６は、図７に示すように、単位画素群６５に対応して設けられる。レンズアレイ基板５としては、単位画素群６５ごとにシリンドリカルレンズ６を個別に設けた構成が採用され得る。
本実施形態では、複数の第１の画素７1（図３）がＹ方向に並んでいる。複数の第２の画素７2〜第７の画素７7も同様である。このため、シリンドリカルレンズ６は、Ｙ方向に並ぶ複数の単位画素群６５に対応して設けられている。シリンドリカルレンズ６は、Ｙ方向に並ぶ複数の単位画素群６５にわたって一連した状態で設けられている。
【００５４】
ここで、液晶パネル１１の構成について、詳細を説明する。
素子基板１５は、図３中のＣ−Ｃ線における断面図である図８に示すように、第１基板７１と、素子層７２と、を有している。
第１基板７１は、例えばガラスや石英などの光透過性を有する材料で構成されており、表示面９側に向けられた第１面７１ａと、底面２７側に向けられた第２面７１ｂとを有している。
【００５５】
素子層７２は、第１基板７１の第１面７１ａに設けられている。素子層７２には、ゲート絶縁膜７３と、絶縁膜７４と、配向膜７５と、が含まれている。また、素子層７２には、画素７ごとに、スイッチング素子の１つであるＴＦＴ（Thin Film Transistor）素子７７と、画素電極７９と、が含まれている。
【００５６】
ゲート絶縁膜７３は、第１基板７１の第１面７１ａに設けられている。絶縁膜７４は、ゲート絶縁膜７３の表示面９側に設けられている。画素電極７９は、絶縁膜７４の表示面９側に設けられている。配向膜７５は、絶縁膜７４の表示面９側に設けられている。
なお、ゲート絶縁膜７３の材料としては、例えば、酸化シリコンや窒化シリコンなどの無機材料が採用され得る。本実施形態では、ゲート絶縁膜７３の材料として、酸化シリコンが採用されている。また、絶縁膜７４の材料としては、例えば、酸化シリコンや窒化シリコンなどの無機材料の他に、アクリル系の樹脂やエポキシ系の樹脂などの光透過性を有する有機材料も採用され得る。本実施形態では、絶縁膜７４の材料として、アクリル系の樹脂が採用されている。
【００５７】
ＴＦＴ素子７７は、ゲート電極８１と、半導体層８２と、ソース電極８３と、ドレイン電極８４とを有している。
ゲート電極８１は、第１基板７１の第１面７１ａに設けられており、ゲート絶縁膜７３によって表示面９側から覆われている。なお、ゲート電極８１の材料としては、例えば、モリブデン、タングステン、クロムなどの金属や、これらを含む合金などが採用され得る。また、ゲート絶縁膜７３の材料としては、例えば、酸化シリコンや窒化シリコンなどの光透過性を有する材料が採用され得る。
半導体層８２は、例えばアモルファスシリコンで構成されており、ゲート絶縁膜７３を挟んでゲート電極８１に対向する位置に設けられている。
【００５８】
ソース電極８３は、ゲート絶縁膜７３の表示面９側に設けられており、一部が半導体層８２に重なっている。ドレイン電極８４は、ゲート絶縁膜７３の表示面９側に設けられており、一部が半導体層８２に重なっている。なお、ソース電極８３やドレイン電極８４の材料としては、例えば、金、銀、銅、アルミニウムなどの金属や、これらを含む合金などが採用され得る。
上記の構成を有するＴＦＴ素子７７は、半導体層８２がゲート電極８１と、ソース電極８３及びドレイン電極８４との間に位置する所謂ボトムゲート型である。このＴＦＴ素子７７は、絶縁膜７４によって表示面９側から覆われている。
【００５９】
画素電極７９は、例えばＩＴＯ（Indium Tin Oxide）やインジウム亜鉛酸化物等の光透過性を有する材料や、マグネシウムと銀とを含む合金等を薄膜化して光透過性を付与したものなどで構成され得る。画素電極７９は、絶縁膜７４に設けられたコンタクトホール８５を介してドレイン電極８４につながっている。
配向膜７５は、絶縁膜７４及び画素電極７９の表示面９側に設けられている。絶縁膜７４及び画素電極７９は、配向膜７５によって表示面９側から覆われている。配向膜７５の材料としては、例えばポリイミドなどの光透過性を有する材料が採用され得る。本実施形態では、配向膜７５の材料として、ポリイミドが採用されている。配向膜７５には、表示面９側に配向処理が施されている。
【００６０】
対向基板１７は、第２基板９１と、対向層９２と、を有している。第２基板９１は、例えばガラスや石英などの光透過性を有する材料で構成されており、表示面９側に向けられた外向面９１ａと、底面２７側に向けられた対向面９１ｂとを有している。
対向層９２は、第２基板９１の対向面９１ｂに設けられている。対向層９２には、光吸収層９３と、カラーフィルタ９５と、オーバーコート層９６と、対向電極９７と、配向膜９８と、が含まれている。
【００６１】
光吸収層９３は、対向面９１ｂに設けられている。光吸収層９３は、例えば、カーボンブラックやクロムなどの光吸収性が高い材料を含有する樹脂などで構成されており、領域９４にわたって設けられている。光吸収層９３は、平面視で格子状に設けられており、各画素７を区画している。本実施形態では、各画素７は、光吸収層９３によって囲まれた領域であると定義され得る。
カラーフィルタ９５は、対向面９１ｂに設けられている。カラーフィルタ９５は、対向面９１ｂにおいて、光吸収層９３によって囲まれた各領域内、すなわち各画素７の領域内に設けられている。カラーフィルタ９５は、各画素７の領域を底面２７側から覆っている。
【００６２】
ここで、カラーフィルタ９５は、入射された光のうち所定の波長域の光を透過させることができる。カラーフィルタ９５は、画素７Ｒ、画素７Ｇ及び画素７Ｂごとに異なる色に着色された樹脂などで構成されている。画素７Ｒに対応するカラーフィルタ９５は、Ｒの光を透過させることができる。画素７Ｇに対応するカラーフィルタ９５はＧの光を透過させ、画素７Ｂに対応するカラーフィルタ９５はＢの光を透過させることができる。なお、以下において、各カラーフィルタ９５に対してＲ、Ｇ及びＢが識別される場合に、カラーフィルタ９５Ｒ、カラーフィルタ９５Ｇ、及びカラーフィルタ９５Ｂという表記が用いられる。
【００６３】
オーバーコート層９６は、光吸収層９３及びカラーフィルタ９５の底面２７側に設けられている。オーバーコート層９６は、光透過性を有する樹脂などで構成されており、光吸収層９３及びカラーフィルタ９５を底面２７側から覆っている。
対向電極９７は、オーバーコート層９６の底面２７側に設けられている。対向電極９７は、例えばＩＴＯやインジウム亜鉛酸化物等の光透過性を有する材料や、マグネシウムと銀とを含む合金等を薄膜化して光透過性を付与したものなどで構成され得る。
【００６４】
対向電極９７は、マトリクスＭを構成する複数の画素７間にわたって一連した状態で設けられている。つまり、対向電極９７は、マトリクスＭを構成する複数の画素７に平面視で重なる領域に設けられており、複数の画素７間にわたって共通して機能する。
配向膜９８は、対向電極９７の底面２７側に設けられている。対向電極９７は、配向膜９８によって底面２７側から覆われている。配向膜９８の材料としては、例えばポリイミドなどの光透過性を有する材料が採用され得る。本実施形態では、配向膜９８の材料として、ポリイミドが採用されている。配向膜９８には、底面２７側に配向処理が施されている。
【００６５】
ここで、Ｙ方向に並ぶ複数のソース電極８３は、図９に示すように、信号線Ｓを介して、画素列５１（図３）単位で相互に電気的につながっている。
また、Ｘ方向に並ぶ複数のゲート電極８１は、図９に示すように、走査線Ｔを介して、画素行５３（図３）単位で相互に電気的につながっている。
複数の信号線Ｓは、それぞれＹ方向に延びており、Ｘ方向に並んでいる。Ｘ方向に隣り合う信号線Ｓ同士の間には、隙間が設けられている。
複数の走査線Ｔは、それぞれＸ方向に延びており、Ｙ方向に並んでいる。Ｙ方向に隣り合う走査線Ｔ同士の間には、隙間が設けられている。
【００６６】
画素７は、複数の信号線Ｓと、複数の走査線Ｔとの各交差に対応して設定されている。このため、各画素電極７９は、複数の信号線Ｓと、複数の走査線Ｔとの各交差に対応して設けられている。本実施形態では、各画素電極７９は、周縁部が領域９４に重なっている。
なお、図８における断面は、図９中のＤ−Ｄ線における断面に相当している。
【００６７】
素子基板１５及び対向基板１７の間に介在する液晶１９は、図８に示すように、配向膜７５と配向膜９８との間に介在している。表示装置１では、図２に示すシール材２１は、図８に示す第１基板７１の第１面７１ａと、第２基板９１の対向面９１ｂとによって挟持されている。つまり、表示装置１では、液晶１９は、第１基板７１及び第２基板９１によって保持されている。なお、シール材２１は、配向膜７５及び配向膜９８の間に設けられていてもよい。この場合、液晶１９は、素子基板１５及び対向基板１７に保持されているとみなされ得る。
【００６８】
上記の構成を有する表示装置１では、照明装置４から表示パネル３に光を照射した状態で液晶１９の配向状態を画素７ごとに変化させることにより、表示が制御される。液晶１９の配向状態は、ＴＦＴ素子７７のＯＦＦ状態及びＯＮ状態を切り替えることによって変化し得る。
【００６９】
図１０（ａ）は、ＴＦＴ素子７７がＯＦＦ状態のときの表示パネル３における偏光状態を示す図であり、図１０（ｂ）は、ＴＦＴ素子７７がＯＮ状態のときの表示パネル３における偏光状態を示す図である。
表示装置１では、偏光板１３ａの透過軸の方向１０１ａは、図１０（ａ）及び図１０（ｂ）に示すように、偏光板１３ｂの透過軸の方向１０１ｂに平面視で直交している。配向膜７５の配向方向１０３は、平面視で透過軸の方向１０１ｂに直交している。配向膜９８の配向方向１０４は、平面視で透過軸の方向１０１ｂに沿っている。
なお、図１０（ａ）及び図１０（ｂ）において、Ｘ'方向及びＹ'方向は、Ｘ'方向が平面視で偏光板１３ａの透過軸の方向１０１ａに沿った方向を示し、Ｙ'方向が平面視でＸ'方向と直交する方向を示している。Ｘ'方向及びＹ'方向は、ＸＹ平面内で互いに直交する任意の２方向である。
【００７０】
照明装置４から偏光板１３ａに入射された入射光は、偏光板１３ａの透過軸の方向１０１ａすなわちＸ'方向に沿った偏光軸を有する直線偏光１０５として液晶１９に入射される。
液晶１９に入射された直線偏光１０５は、ＴＦＴ素子７７がＯＦＦ状態のときに、図１０（ａ）に示すように、液晶１９の旋光性によってＹ'方向に沿った偏光軸を有する直線偏光１０６として偏光板１３ｂに向けて射出される。偏光板１３ｂに向けて射出された直線偏光１０６は、偏光軸の方向が偏光板１３ｂの透過軸の方向１０１ｂに沿っているため、偏光板１３ｂを透過する。
【００７１】
他方で、ＴＦＴ素子７７がＯＮ状態のときに、直線偏光１０５は、図１０（ｂ）に示すように、偏光状態が維持されたまま直線偏光１０５として偏光板１３ｂに向けて射出される。偏光板１３ｂに向けて射出された直線偏光１０５は、偏光軸の方向が偏光板１３ｂの透過軸の方向１０１ｂに対して直交しているため、偏光板１３ｂによって吸収される。
【００７２】
表示装置１では、ＴＦＴ素子７７がＯＦＦ状態のときに表示面９から光が射出され、ＴＦＴ素子７７がＯＮ状態のときに表示面９からの光の射出が遮断される所謂ノーマリホワイトの表示モードが採用されている。しかしながら、表示モードは、ノーマリホワイトに限定されず、ノーマリブラックも採用され得る。
【００７３】
ここで、表示装置１は、前述したように、レンズアレイ基板５を有している。表示パネル３の表示面９から射出された光は、レンズアレイ基板５に入射される。レンズアレイ基板５に入射された光は、シリンドリカルレンズ６から射出するときに屈折する。
本実施形態では、シリンドリカルレンズ６は、図７中のＥ−Ｅ線における断面図である図１１に示すように、単位画素群６５ごとに設けられている。
【００７４】
第１の画素７1からシリンドリカルレンズ６に入射された光１１１1は、シリンドリカルレンズ６によって屈折して、第１の範囲１１３1に及ぶ。
第２の画素７2〜第７の画素７7のそれぞれにおいても同様である。第２の画素７2からの光１１１2は、シリンドリカルレンズ６によって屈折して、第２の範囲１１３2に及ぶ。
第３の画素７3からの光１１１3は第３の範囲１１３3に及び、第４の画素７4からの光１１１4は第４の範囲１１３4に及ぶ。第５の画素７5からの光１１１5は第５の範囲１１３5に及び、第６の画素７6からの光１１１6は第６の範囲１１３6に及び、第７の画素７7からの光１１１7は第７の範囲１１３7に及ぶ。
【００７５】
この結果、第１の範囲１１３1からは、複数の第１の画素７1からの光１１１1によって形成される第１の画像が視認され得る。第２の範囲１１３2からは、複数の第２の画素７2からの光１１１2によって形成される第２の画像が視認され得る。
同様に、第３の範囲１１３3からは、第３の画像が視認され得る。第４の範囲１１３4からは、第４の画像が視認され、第５の範囲１１３5からは、第５の画像が視認され、第６の範囲１１３6からは、第６の画像が視認され、第７の範囲１１３7からは、第７の画像が視認され得る。
つまり、表示装置１では、第１〜第７の画像を、それぞれ、相互に異なる第１の範囲１１３1から第７の範囲１１３7に表示する所謂指向性表示を行うことができる。
【００７６】
なお、表示装置１では、Ｘ方向において、隣り合うシリンドリカルレンズ６同士間の間隔Ｐａが、図１２に示すように、隣り合う単位画素群６５同士間の間隔Ｐｂよりも小さく設定され得る。これにより、Ｘ方向に隣り合う単位画素群６５間で、第１の範囲１１３1同士を重ねることができる。第２の範囲１１３2同士〜第７の範囲１１３7同士についても、同様に重ねることができる。
本実施形態では、間隔Ｐａが間隔Ｐｂよりも小さく設定されている。
【００７７】
本実施形態において、シリンドリカルレンズ６が光学素子に対応し、Ｘ方向が第１方向に対応し、Ｙ方向が第２方向に対応し、画素７がサブ画素に対応し、画素７Ｒが赤系画素に対応し、画素７Ｇが緑系画素に対応し、画素７Ｂが青系画素に対応している。
ここで、第１〜第７の画像のそれぞれを表示装置１に展開する方法について検討する。
ところで、前述したように、Ｒ画素６０５Ｒ、Ｇ画素６０５Ｇ及びＢ画素６０５Ｂを有する一般的な表示装置における単位画素６１０は、図２４に示すように、アスペクト比が、１：１（ｎ：ｎ）に設定されることが多い。以下においては、第１〜第７の画像は、それぞれ、１：１のアスペクト比を有する単位画素６１０に展開され得る画像として例示される。
【００７８】
表示装置１に展開する前の第１の画像１２１1としては、図１３に示す構成が考えられる。図１３において、各画素７に付された文字は、上から順に、画像番号、単位画素６１０の列番号、単位画素６１０の行番号、光の色を示している。
表示装置１に展開する前の第２の画像１２１2も、図１４に示すように、第１の画像１２１1（図１３）に準じて構成される。表示装置１に展開する前の第３の画像１２１3〜第７の画像１２１7も同様であるので、詳細の説明を省略する。
【００７９】
第１の画像１２１1を表示装置１に展開する方法としては、第１の画像１２１1の単位画素６１０の列番号及び行番号を、表示装置１における単位画素６３の列番号及び行番号に対応させる方法が挙げられる。
この方法では、表示装置１に展開された後の第１の画像１２３1は、図１５に示すように、単位画素６３が正方領域６１ごとに出現する。つまり、ｎ：ｎのアスペクト比を有する単位画素６１０が、ａ：ａのアスペクト比を有する単位画素６３に拡大される。単位画素６１０と単位画素６３とは、いずれもアスペクト比が１：１である。すなわち、第１の画像１２１1は、１：１のアスペクト比を維持したまま、第１の画像１２３1に拡大される。
【００８０】
このため、第１の画像１２１1と、第１の画像１２３1とは、互いに相似形になる。このことは、第１の画像１２１1を、第１の画像１２３1に対してＸ方向及びＹ方向の双方に同じ縮小比で縮小すればよいことを意味する。
これにより、第１の画像１２３1に対する第１の画像１２１1の縮小比を、Ｘ方向及びＹ方向で互いに異なる縮小比にする場合に比較して、第１の画像１２１1を形成するときにかかる処理を簡略化することができる。このことは、第２の画像１２１2〜第７の画像１２１7のそれぞれに対しても同様である。
この結果、指向性表示にかかる処理を簡略化しやすくすることができる。
【００８１】
第２実施形態について説明する。
第２実施形態における表示装置１は、各単位画素６３において、画素７Ｒ、画素７Ｇ及び画素７Ｂの配列方向が異なる点を除いては、第１実施形態における表示装置１と同様の構成を有している。このため、以下においては、説明の重複を避けるため、第１実施形態と同一の構成については、同一の符号を付して、詳細な説明を省略する。
【００８２】
第２実施形態では、正方領域６１内において、単位画素６３の画素７Ｒ、画素７Ｇ及び画素７Ｂは、図１６に示すように、Ｖ方向に並んでいる。Ｖ方向は、平面視でＸ方向及びＹ方向の双方に交差する方向である。
第１の画素７Ｒ1から第７の画素７Ｒ7までの７個の画素７Ｒでは、第１の画素７Ｒ1から第７の画素７Ｒ7が、Ｘ方向にこの順で並んでいる。
第１の画素７Ｇ1から第７の画素７Ｇ7までの７個の画素７Ｇは、第７の画素７Ｇ7に続いて第１の画素７Ｇ1から第６の画素７Ｇ6が、Ｘ方向にこの順で並んでいる。
第１の画素７Ｂ1から第７の画素７Ｂ7までの７個の画素７Ｂは、第６の画素７Ｂ6に続いて第７の画素７Ｂ7が並び、第７の画素７Ｂ7に続いて第１の画素７Ｂ1から第５の画素７Ｂ5が、Ｘ方向にこの順で並んでいる。
【００８３】
ここで、正方領域６１内における画素７の配列を７列×３行の行列とみなせば、例えば第２の画素７Ｒ2は、２列目の１行目（以下、アドレス（２，１）と表記する）に位置している。第１の画素７Ｒ1は、アドレス（１，１）に位置している。同様に、第１の画素７Ｇ1は、アドレス（２，２）に位置している。
第ｉ（ｉは、１〜７までの画像番号）の画素７Ｇiは、アドレス（ｉ＋１，２）に位置する。但し、ｉ＋１が８以上の場合には、ｉ＋１がｉ＋１−７に置換される。
また、第ｉの画素７Ｂiは、アドレス（ｉ＋２，３）に位置する。但し、ｉ＋２が８以上の場合には、ｉ＋２がｉ＋２−７に置換される。
【００８４】
このように、本実施形態では、単位画素６３において、隣り合う２つの画素７は、列番号が互いに１だけずれている。
つまり、本実施形態では、単位画素６３において、隣り合う２つの画素７が、Ｘ方向に互いに画素７の１つ分だけずれている。本実施形態では、画素７Ｒ、画素７Ｇ及び画素７Ｂのうちで画素７ＧがＹ方向の中央に位置している。このため、画素７Ｒ及び画素７Ｇが単位画素６３で隣り合う２つの画素７に相当し、画素７Ｇ及び画素７Ｂも単位画素６３で隣り合う２つの画素７に相当する。
【００８５】
第２実施形態では、シリンドリカルレンズ６は、図１７に示すように、単位画素群６５ごとに個別に設けられている。各シリンドリカルレンズ６は、Ｖ方向に延在している。このため、Ｘ方向に隣り合うシリンドリカルレンズ６間の境界部６ａが、Ｖ方向に延在している。
本実施形態では、境界部６ａは、図１７中のＫ部の拡大図である図１８に示すように、第１の画素７Ｒ1、第１の画素７Ｇ1、及び、第１の画素７Ｂ1に交差している。
【００８６】
第２実施形態においても、第１の画素７1からの光１１１1は、図１８中のＯ−Ｏ線における断面図である図１９に示すように、シリンドリカルレンズ６によって屈折して、第１の範囲１１３1に及ぶ。第２の画素７2〜第７の画素７7のそれぞれにおいても同様である。従って、第２実施形態においても、指向性表示を行うことができる。
また、第２実施形態においても、第１実施形態と同様の効果が得られる。
【００８７】
ここで、前述したように、第２実施形態では、シリンドリカルレンズ６の境界部６ａが、第１の画素７1に交差している。このため、境界部６ａに交差する第１の画素７1からの光１１１1は、境界部６ａを境に２つの方向にわかれる。この結果、第１の範囲１１３1は、第１の範囲１１３1ａと、第１の範囲１１３1ｂとにわかれる。
第１の範囲１１３1ａは、第２の範囲１１３2とＸ方向に隣り合う位置に出現する。第１の範囲１１３1ｂは、第７の範囲１１３7とＸ方向に隣り合う位置に出現する。
【００８８】
例えば、第１〜第７の画像が、それぞれ異なる視点から捉えられた視差画像を構成している場合が想定される。この場合、第１〜第７の画像において、互いに隣り合う２つの画像が１組の視差画像を構成する。第１の画像と第２の画像とが１組の視差画像であり、第２の画像と第３の画像とが１組の視差画像である。同様に、第３の画像と第４の画像とが１組の視差画像であり、第４の画像と第５の画像とが１組の視差画像であり、第５の画像と第６の画像とが１組の視差画像であり、第６の画像と第７の画像とが１組の視差画像である。第１の画像〜第７の画像では、６組の視差画像が構成され得る。
【００８９】
この構成によれば、観察者の左眼が第１の範囲１１３1ａ内に位置し、右眼が第２の範囲１１３2内に位置したときに、第１の画像及び第２の画像の視差画像を１つの立体画像として観察者に認識させることができる。左眼の位置を第１の範囲１１３1ａから第７の範囲１１３7まで順に変化させると、視差画像ごとに異なる視点からの立体画像を認識させることができる。
【００９０】
第１実施形態では、第１の画像〜第７の画像の７つの画像で、６組の視差画像を提供することができる。
これに対し、上述した第２実施形態において、第７の画像と第１の画像とを１組の視差画像とすれば、画像数を増やさずに視差画像の数を増やすことができる。観察者の左眼が第７の範囲１１３7内に位置し、右眼が第１の範囲１１３1ａ内に位置したときに、第７の画像及び第１の画像の視差画像を１つの立体画像として観察者に認識させることができる。
つまり、第２実施形態では、第１の画像〜第７の画像の７つの画像で７組の視差画像を提供することができる。
【００９１】
第３実施形態について説明する。
第３実施形態における表示装置１は、各正方領域６１において、第１の画素７1〜第７の画素７7の配列が異なる点を除いては、第１実施形態（第２実施形態）における表示装置１と同様の構成を有している。このため、以下においては、説明の重複を避けるため、第１実施形態（第２実施形態）と同一の構成については、同一の符号を付して、詳細な説明を省略する。
【００９２】
第３実施形態では、正方領域６１内において、単位画素６３の画素７Ｒ、画素７Ｇ及び画素７Ｂが、図２０に示すように、Ｖ方向に並んでいる。この点は、第２実施形態と同様である。
第２実施形態と異なるのは、第１の画素７Ｇ1から第７の画素７Ｇ7までの７個の画素７ＧがＸ方向にこの順で並んでいる点である。
これにともなって、第３実施形態では、７個の画素７Ｒの配列と、７個の画素７Ｂの配列とが第２実施形態とは異なっている。
【００９３】
第３実施形態では、第１の画素７Ｒ1から第７の画素７Ｒ7までの７個の画素７Ｒは、Ｘ方向において、第２の画素７Ｒ2から第７の画素７Ｒ7がこの順で並び、第７の画素７Ｒ7に続いて第１の画素７Ｒ1が並んでいる。
第１の画素７Ｂ1から第７の画素７Ｂ7までの７個の画素７Ｂは、第７の画素７Ｂ7に続いて第１の画素７Ｂ1から第６の画素７Ｂ6が、Ｘ方向にこの順で並んでいる。
つまり、本実施形態では、画素７Ｒ、画素７Ｇ及び画素７ＢのうちでＹ方向の中央に位置する画素７Ｇにおいて、第１の画素７1から第７の画素７7までの７個の画素７がＸ方向にこの順で並んでいる。
なお、本実施形態においても、第２実施形態と同様に、単位画素６３内で隣り合う２つの画素７が、Ｘ方向に互いに画素７の１つ分だけずれている。
【００９４】
第３実施形態においても、シリンドリカルレンズ６は、図２１に示すように、単位画素群６５ごとに個別に設けられている。この点は、第２実施形態と同様である。
また、境界部６ａが、第１の画素７Ｒ1、第１の画素７Ｇ1、及び、第１の画素７Ｂ1に交差している点も、第２実施形態と同様である。
第３実施形態では、境界部６ａは、Ｘ方向に隣り合う単位画素群６５間にまたがっている点が第２実施形態とは異なっている。
【００９５】
第３実施形態においても、第１の画素７1からの光１１１1は、図１９に示すように、シリンドリカルレンズ６によって屈折して、第１の範囲１１３1に及ぶ。第２の画素７2〜第７の画素７7のそれぞれにおいても同様である。従って、第３実施形態においても、指向性表示を行うことができる。
また、第３実施形態においても、第１実施形態及び第２実施形態のそれぞれと同様の効果が得られる。
【００９６】
ここで、第１〜第７の画像が、前述した視差画像を構成している場合が想定される。
正方領域６１の画素７Ｒ、画素７Ｇ及び画素７ＢのうちでＹ方向の中央に位置する画素７Ｇにおいて、第１の画素７1から第７の画素７7までの７個の画素７が順に並んでいる構成は、第１〜第７の画像が視差画像を構成している場合に有効である。これは、次の理由による。
【００９７】
表示装置１で画像を観察する者の心理として、表示領域８（図１）の正面から画像を観察したいという願望がある。観察者が表示領域８の正面に対面すると、観察者と正方領域６１（図２１）とが互いに正面で対面しやすい。この場合、観察者が視認しやすい視差画像としては、第３の画像と第４の画像との視差画像や、第４の画像と第５の画像との視差画像が挙げられる。
これらの２つの視差画像は、第１〜第７の画像のうちの略中央に位置している。つまり、これらの２つの視差画像は、相互に異なる７つの視点から捉えられた７つの画像のうちで略中央の視点からの画像に相当する。
【００９８】
そして、第３実施形態における表示装置１では、Ｘ方向において、第３の画素７3、第４の画素７4及び第５の画素７5が、図２１に示すように、正方領域６１の略中央に位置している。
この構成によれば、７つの画像のうちで略中央の視点からの画像を、表示領域８の略正面に表示しやすくすることができる。つまり、正面から捉えられた画像を表示領域８の正面に表示しやすくすることができる。このため、正方領域６１の画素７Ｒ、画素７Ｇ及び画素７ＢのうちでＹ方向の中央に位置する画素７Ｇにおいて、第１の画素７1から第７の画素７7までの７個の画素７が順に並んでいる構成は、視差画像の表示に対して有効である。
【００９９】
なお、第１実施形態、第２実施形態及び第３実施形態では、それぞれ、単位画素群６５を構成する単位画素６３の数を、第１の単位画素６３1〜第７の単位画素６３7の７つとしたが、単位画素群６５を構成する単位画素６３の数はこれに限定されない。単位画素群６５を構成する単位画素６３の数は、２以上の任意の数が採用され得る。
【０１００】
また、第１実施形態、第２実施形態及び第３実施形態では、それぞれ、カラーフィルタ９５によってカラー表示を行うことができる表示装置１を例に説明したが、表示装置１の構成は、これに限定されない。表示装置１の構成としては、カラーフィルタ９５を省略した構成も採用され得る。この場合、表示装置１は、モノクローム表示を行うことができる。
カラーフィルタ９５を有する表示装置１では、単位画素６３が画素７Ｒと画素７Ｇと画素７Ｂとを含んでいる。
これに対し、カラーフィルタ９５が省略された表示装置１では、１つの画素７が１つの単位画素６３を構成し得る。
【０１０１】
また、第１実施形態、第２実施形態及び第３実施形態では、それぞれ、画素７からの光をシリンドリカルレンズ６で屈折させることによって指向性表示を行う構成を例示したが、表示装置１の構成はこれに限定されない。表示装置１の構成としては、レンズアレイ基板５に替えて、視差バリアを設けた構成も採用され得る。視差バリアは、画素７からの光を遮光する遮光膜に開口部を設けた構成を有している。開口部は、単位画素群６５ごとに１つ又は２つ以上設けられる。
レンズアレイ基板５に替えて、視差バリアを設けた構成においても、第１実施形態、第２実施形態及び第３実施形態のそれぞれと同様の効果が得られる。
【０１０２】
また、第１実施形態、第２実施形態及び第３実施形態では、それぞれ、正方領域６１において、画素７Ｒ、画素７Ｇ及び画素７Ｂのうちで画素７ＧをＹ方向の中央に配置した構成としたが、Ｙ方向の中央に配置する画素７はこれに限定されない。Ｙ方向の中央に配置する画素７は、画素７Ｒ、画素７Ｇ及び画素７Ｂのいずれであってもよい。
また、正方領域６１において、画素７Ｒ、画素７Ｇ及び画素７Ｂの並び順も任意の並び順が採用され得る。
【０１０３】
また、第１実施形態、第２実施形態及び第３実施形態では、それぞれ、ＴＮ型の液晶１９を例に説明したが、液晶１９はこれに限定されない。液晶１９としては、ＦＦＳ（Fringe Field Switching）型、ＩＰＳ（In Plane Switching）型、ＶＡ（Vertical Alignment）型等の種々の型が採用され得る。
【０１０４】
上述した表示装置１は、例えば、図２２に示す電子機器５００の表示部５１０に適用され得る。この電子機器５００は、カーナビゲーションシステム用の表示機器である。電子機器５００では、表示装置１の構成として、例えば、単位画素群６５を構成する単位画素６３の数を、第１の単位画素６３1と第２の単位画素６３2との２つとする構成が採用され得る。
この構成を有する表示装置１が適用された表示部５１０によって、電子機器５００では、例えば、運転席側から第１の画像として地図などの画像が視認され、助手席側から第２の画像として映画などの画像が視認され得る。
【０１０５】
また、電子機器５００では、表示部５１０として表示装置１が適用されているので、指向性表示にかかる処理を簡略化しやすくすることができる。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【０１０６】
【図１】本実施形態における表示装置の主要構成を示す分解斜視図。
【図２】図１中のＡ−Ａ線における断面図。
【図３】第１実施形態での複数の画素の一部を示す平面図。
【図４】本実施形態での表示パネルを示す平面図。
【図５】本実施形態での表示領域の一部を示す平面図。
【図６】第１実施形態での単位画素群を示す平面図。
【図７】第１実施形態でのレンズアレイ基板の一部を示す平面図。
【図８】図３中のＣ−Ｃ線における断面図。
【図９】本実施形態でのＴＦＴ素子及び画素電極の配置を示す平面図。
【図１０】本実施形態での表示パネルにおける偏光状態を説明する図。
【図１１】図７中のＥ−Ｅ線における断面図。
【図１２】第１実施形態での液晶パネルとレンズアレイ基板とを模式的に示す断面図。
【図１３】本実施形態における表示装置に展開する前の第１の画像の構成を概念的に示す平面図。
【図１４】本実施形態における表示装置に展開する前の第２の画像の構成を概念的に示す平面図。
【図１５】第１実施形態における表示装置に展開した後の第１の画像の構成を概念的に示す平面図。
【図１６】第２実施形態での単位画素群を示す平面図。
【図１７】第２実施形態でのレンズアレイ基板の一部を示す平面図。
【図１８】図１７中のＫ部の拡大図。
【図１９】図１８中のＯ−Ｏ線における断面図。
【図２０】第３実施形態での単位画素群を示す平面図。
【図２１】第３実施形態でのシリンドリカルレンズの単位画素群に対する位置を説明する平面図。
【図２２】本実施形態における表示装置を適用した電子機器の斜視図。
【図２３】従来の表示装置における画素の配置を説明する平面図。
【図２４】従来の表示装置における単位画素群を示す平面図。
【図２５】従来の表示装置における単位画素群の配置を説明する平面図。
【図２６】従来の表示装置に展開する前の第１の画像の構成を概念的に示す平面図。
【図２７】従来の表示装置に展開した後の第１の画像の構成を概念的に示す平面図。
【図２８】従来の表示装置に展開する前の第１の画像と展開した後の第１の画像とを比較する図。
【符号の説明】
【０１０７】
１…表示装置、３…表示パネル、５…レンズアレイ基板、６…シリンドリカルレンズ、６ａ…境界部、７…画素、７Ｒ，７Ｇ，７Ｂ…画素、７1…第１の画素、７2…第２の画素、７3…第３の画素、７4…第４の画素、７5…第５の画素、７6…第６の画素、７7…第７の画素、８…表示領域、９…表示面、１１…液晶パネル、１５…素子基板、１７…対向基板、１９…液晶、２７…底面、５１…画素列、５３…画素行、５３Ｒ，５３Ｇ，５３Ｂ…画素行、６１…正方領域、６３…単位画素、６３1…第１の単位画素、６３2…第２の単位画素、６３3…第３の単位画素、６３4…第４の単位画素、６３5…第５の単位画素、６３6…第６の単位画素、６３7…第７の単位画素、６５…単位画素群、１１３1…第１の範囲、１１３2…第２の範囲、１１３3…第３の範囲、１１３4…第４の範囲、１１３5…第５の範囲、１１３6…第６の範囲、１１３7…第７の範囲、１１３1ａ，１１３1ｂ…第１の範囲、１２１1…第１の画像、１２３1…第１の画像、５００…電子機器、５１０…表示部。
【図１】
2010088087.tif 000003
【図２】
2010088087.tif 000004
【図３】
2010088087.tif 000005
【図４】
2010088087.tif 000006
【図５】
2010088087.tif 000007
【図６】
2010088087.tif 000008
【図７】
2010088087.tif 000009
【図８】
2010088087.tif 000010
【図９】
2010088087.tif 000011
【図１０】
2010088087.tif 000012
【図１１】
2010088087.tif 000013
【図１２】
2010088087.tif 000014
【図１３】
2010088087.tif 000015
【図１４】
2010088087.tif 000016
【図１５】
2010088087.tif 000017
【図１６】
2010088087.tif 000018
【図１７】
2010088087.tif 000019
【図１８】
2010088087.tif 000020
【図１９】
2010088087.tif 000021
【図２０】
2010088087.tif 000022
【図２１】
2010088087.tif 000023
【図２２】
2010088087.tif 000024
【図２３】
2010088087.tif 000025
【図２４】
2010088087.tif 000026
【図２５】
2010088087.tif 000027
【図２６】
2010088087.tif 000028
【図２７】
2010088087.tif 000029
【図２８】
2010088087.tif 000030